(57)【特許請求の範囲】
【請求項１】
建物内に設けられた天井に達しないキッチンの袖壁内に収納領域が形成されるとともに水平断面が四角枠形状の支柱部が設けられており、上記支柱部によって、上記収納領域が第１の収納領域と第２の収納領域に区分され、
上記支柱部における四角枠形状の対向する２面は、対向配置された上記第１の収納領域の一部壁面を構成する第１板部と、上記第２の収納領域の一部壁面を構成する第２板部とにより形成され、
上記支柱部における四角枠形状の他の対向する２面は、上記第２の収納領域をなす外側の側面板と内側の側面板とにより形成されることを特徴とする収納構造。
【請求項２】
請求項１に記載の収納構造において、上記第１の収納領域の収納方向と上記第２の収納領域の収納方向が異なることを特徴とする収納構造。
【請求項３】
請求項２に記載の収納構造において、上記第１の収納領域の開口はキッチンの横側に向けられており、上記第２の収納領域の開口はキッチンの正面側に向けられていることを特徴とする収納構造。
【請求項４】
請求項１〜請求項３のいずれか１項に記載の収納構造において、上記外側の側面板が着脱可能に設けられていることを特徴とする収納構造。
【請求項５】
請求項４に記載の収納構造において、上記外側の側面板の着脱を可能にする金具が上記第２の収納領域の開口から操作できることを特徴とする収納構造。
【請求項６】
請求項１〜請求項５のいずれか１項に記載の収納構造において、上記支柱部内に線部材または管部材が引かれていることを特徴とする収納構造。
【請求項７】
請求項１〜請求項６のいずれか１項に記載の収納構造において、上記収納領域にアウトレットが設けられていることを特徴とする収納構造。
【請求項８】
請求項１〜請求項７のいずれか１項に記載の収納構造において、上記キッチンの背面側にカウンターが設けられており、このカウンターと上記袖壁とがＬ字形状を成していることを特徴とする収納構造。
【発明の詳細な説明】
【技術分野】
【０００１】
この発明は、建物内の内装壁体内に収納領域を形成した収納構造に関する。
【背景技術】
【０００２】
特許文献１には、流し台等の厨房装置端部の袖壁に形成した収納空所内に台所用小物を係止させる直立板状体を出し入れ自在に設けた収納構造が開示されている。
【先行技術文献】
【特許文献】
【０００３】
【特許文献１】実公昭６１−５１４９号公報
【発明の概要】
【発明が解決しようとする課題】
【０００４】
しかしながら、上記袖壁等の内装壁体を収納領域として利用すると、当該内装壁体の強度が不足するという欠点があった。
【０００５】
この発明は、上記の事情に鑑み、収納領域を形成しつつ内装壁体の強度不足を解消できる収納構造を提供することを課題とする。
【課題を解決するための手段】
【０００６】
この発明の収納構造は、上記の課題を解決するために、建物内に設けられた内装壁体内に収納領域が形成されるとともに水平断面が枠形状の支柱部が設けられたことを特徴とする。
【０００７】
上記の構成であれば、上記内装壁体内に上記支柱部が設けられたことにより、内装壁体の強度不足を解消できる。また、上記枠形状の支柱部は、パーチクルボードなどの板材を組み合わせて安価に作製できる。
【０００８】
上記支柱部は、第１の収納領域の一部壁面を構成する第１板部と、第２の収納領域の一部壁面を構成する第２板部とを対向配置に有してもよい。これによれば、上記収納領域の一部壁面で上記支柱部が作製されることになるので、部材点数の削減が図れる。
【０００９】
上記第１の収納領域の収納方向と上記第２の収納領域の収納方向が異なるようにしてもよい。これによれば、例えば、上記第１の収納領域においてキッチンの横側からの収納をし易くし、また、上記第２の収納領域においてキッチンの正面側からの収納をし易くする収納形態等を実現できる。
【００１０】
上記第１の収納領域または上記第２の収納領域を形成する側面板が着脱可能に設けられていてもよい。これによれば、例えば、設置現場において上記側面板を外して所要の作業をすることが可能になる。
【００１１】
上記着脱可能に設けられた側面板により上記支柱部の側面壁が形成される構造であると、上記支柱部内に電気線を引く作業等が容易になる。
【００１２】
上記支柱部内に線部材または管部材が引かれていてもよい。例えば、線部材として電気線が収納領域内に例えばアウトレットを配置することが容易になる。
【００１３】
上記収納領域にアウトレットが設けられていると、例えば、タブレット型電子機器を収納領域に収納した状態で充電することができる。
【００１４】
上記内装壁体がキッチンの袖壁であると、当該袖壁の有効利用が図れる。
【発明の効果】
【００１５】
本発明であれば、収納領域を形成しつつ内装壁体の強度不足を解消できる等の諸効果を奏する。
【図面の簡単な説明】
【００１６】
【図１】本発明の実施形態にかかる収納構造を有するキッチンを示した図であって、同図（Ａ）はキッチンの平面図、同図（Ｂ）はキッチンの背面図、同図（Ｃ）は袖壁の正面図、同図（Ｄ）は袖壁の側面図、同図（Ｅ）はキッチンの概略の断面図である。
【図２】図１のキッチンの概略の斜視図である。
【図３】図１のキッチンの概略の斜視図である。
【発明を実施するための形態】
【００１７】
以下、この発明の実施の形態を添付図面に基づいて説明する。
図１（Ａ）、（Ｂ）、（Ｃ）、（Ｄ）、（Ｅ）に示すように、この実施形態の収納構造はキッチン１において形成されており、このキッチン１の端の袖壁２が当該収納構造における内装壁体となっている。上記キッチン１の本体部のリビング側の面（背面）には、例えば３段３列で引き出し部３が設けられている。また、上記キッチン１の本体部のリビング側には段状に高くされたカウンター１１が設けられている。
【００１８】
上記袖壁２の幅（厚さ）は例えば１１０ｍｍ程度とされ、その天板部の幅は１２６ｍｍ程度とされている。上記天板部は上記カウンター１１と連続するように形成されている。そして、上記袖壁２には、第１の収納領域２１と第２の収納領域２２とが形成されるとともに水平断面が四角枠形状である中空の支柱部２３が形成されている。
【００１９】
図２および図３にも示すように、上記第１の収納領域２１は、マガジンラック部を上下に３段配置した構造を有している。下２段のマガジンラック部の高さは、最上段のマガジンラック部の高さよりも高く、当該下２段のマガジンラック部にはパイプ状の倒れ防止部が設けられている。また、各段の底板の手前側には収納物の滑り落ちを防止する防止板が固定されている。そして、上記第１の収納領域２１の開口は上記キッチン１の横側に向けられており、収納物である雑誌等の出し入れはキッチン１の横側から行われることになる。例えば、上記第１の収納領域２１の開口の幅は７１６ｍｍ程度とされ、奥行きは９３ｍｍ程度とされる。
【００２０】
また、上記第２の収納領域２２は、上下２段の棚状に構成されており、下側の棚部の底板は床面から例えば２００ｍｍ程度上に位置している。上記底板から床までの間の箇所は板で塞がれている。この第２の収納領域２２の開口はキッチン１の正面側である作業位置側に向けられており、収納物の出し入れはキッチン１の作業位置の側から行われることになる。例えば、上記第２の収納領域２２の開口の幅は７６ｍｍ程度とされ、奥行きは２２０ｍｍ程度とされる。
【００２１】
上記の水平断面が四角枠形状である支柱部２３は、第１の収納領域２１の一部壁面である側面板を構成する第１板部２３ａと、第２の収納領域２２の一部壁面である背板部を構成する第２板部２３ｂとを対向配置に有して成る。各２３ａ，２３ｂの厚さは例えば２５ｍｍ程度である。そして、上記四角枠形状である支柱部２３の他の２面は、上記第２の収納領域２２の外側の側面板２２ａと内側の側面板２２ｂとにより形成される。上記側面板２２ａ、２２ｂの厚さは例えば１７ｍｍ程度である。そして、これら板材は、例えば、接着剤、螺子、ノックダウン金物（ミニフィックス）などを用いて連結される。
【００２２】
上記第２の収納領域２２の外側の側面板２２ａは例えば金具２４によって着脱可能に設けられている。すなわち、上記着脱可能に設けられた外側の側面板２２ａによって上記支柱部２３の側面壁が形成されている。上記金具２４は、上記第２の収納領域２２の開口から手を挿入して操作できるように設けられる。上記金具２４は例えばＬ字形状を有しており、一つの面が上記側面板２２ｂに固定され、他の一つの面は上記第２板部２３ｂに螺子等によって着脱可能に固定される。このように金具２４を設ける場合には、金具２４が隠れて見えないことになるが、外から見える箇所に金具を設けるようにしてもよいものである。
【００２３】
上記支柱部２３内に例えば床下から電気線が引かれている。そして、上記支柱部２３を構成している上記第１板部２３ａにはアウトレット（コンセント）４が装着されており、このアウトレット４の背面側に上記電気線が接続される。電気線に限らず、他の線状部材を引いてもよいし、水道管などの管部材を引いてもよい。
【００２４】
上記の構成であれば、上記内装壁体である上記袖壁２内に上記支柱部２３が設けられたことにより、上記袖壁２の強度不足を解消できる。また、上記枠形状の支柱部２３は、パーチクルボードなどの板材を組み合わせて安価に作製できる。
【００２５】
上記支柱部２３が、第１の収納領域２１の一部壁面を構成する第１板部２３ａと、第２の収納領域２２の一部壁面を構成する第２板部２３ｂとを対向配置に有する構成であれば、上記収納領域２１、２２の一部壁面で上記支柱部２３が作製されることになるので、部材点数を削減することができる。
【００２６】
上記第１の収納領域２１の収納方向と上記第２の収納領域２２の収納方向とが異なると、例えば、上記第１の収納領域２１においてキッチン１の横側からの収納をし易くし、また、上記第２の収納領域２２においてキッチン１の正面側からの収納をし易くする収納形態を実現できる。なお、上記支柱部２３を境に両側に構成される２つの収納領域をともにマガジンラック部とし、これらの収納方向が同じになる収納形態も採用できる。
【００２７】
上記第２の収納領域２２を形成する上記側面板２２ａが着脱可能に設けられていると、例えば、キッチン１の設置に際して上記側面板２２ａを外して所要の作業をすることが可能になる。
【００２８】
上記着脱可能に設けられた側面板２２ａが上記支柱部２３の側面壁を形成する構造であると、上記支柱部２３内に電気線を引く作業等が容易になる。
【００２９】
そして、上記支柱部２３内に電気線が引かれていると、上記第１の収納領域２１内にアウトレット４を配置することが容易になる。
【００３０】
上記第１の収納領域２１にアウトレット４が設けられていると、例えば、タブレット型電子機器を当該第１の収納領域２１に収納した状態で充電することができる。
【００３１】
なお、上記の実施形態では、内装壁体である上記袖壁２内に形成された収納構造を示したが、上記袖壁２以外の内装壁体に同様の収納構造を形成することが可能である。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１      キッチン
１１    カウンター
１２    シンク
１３    コンロ
２      袖壁
２１    第１の収納領域
２２    第２の収納領域
２２ａ  壁面板
２２ｂ  壁面板
２３    支柱部
２３ａ  第１板部
２３ｂ  第２板部
２４    金具
３      引き出し部
４      アウトレット
【図１】
0005918733.tif 000002
【図２】
0005918733.tif 000003
【図３】
0005918733.tif 000004